(57)【要約】【課題】ＩＣＣプロファイルには、属性情報として光沢／艶なしのおおまかな光沢情報が含まれるが、二つの選択肢では、到底、グロスマッチングなどはできない。【解決手段】ＩＣＣプロファイルに光沢度情報の埋め込みが指示された場合（Ｓ４）、カラー複写機の原稿台に載置されたカラーチャートから光沢度情報を取得し（Ｓ８）、取得した光沢度情報をＩＣＣプロファイルのプライベートタグに記述する（Ｓ９）。【選択図】　　図７
2004040184.tif 000002
【特許請求の範囲】
【請求項１】
デバイスに固有の色空間とデバイスに依存しない色空間との間の色変換に関する情報を記述したプロファイルを作成する画像処理装置であって、
画像の光沢度を示す情報を入力する入力手段と、
入力された光沢度情報を前記プロファイルに記述する記述手段とを有することを特徴とする画像処理装置。
【請求項２】
前記光沢度情報は、画像の平均光沢度、画像信号と光沢度との関係を示す情報、および、非画像部の光沢度の少なくとも一つを含むことを特徴とする請求項１に記載された画像処理装置。
【請求項３】
複数の画像形成装置が接続され、それら装置のプロファイルを記憶する画像処理装置であって、
前記プロファイルに記述された光沢度を示す情報を取得する取得手段と、
取得された光沢度情報と、前記画像形成装置に形成させるべき画像に指定された光沢度情報と比較する比較手段と、
その比較結果に基づき、前記複数の画像形成装置から前記画像の形成に使用する画像形成装置を選択する選択手段と、
選択された画像形成装置へ、前記形成すべき画像を送信する送信手段とを有することを特徴とする画像処理装置。
【請求項４】
前記取得手段は、さらに、前記プロファイルに記述された色空間情報を取得し、前記比較手段は、さらに、取得された色空間情報と、前記形成させるべき画像に指定された色空間情報とを比較し、前記選択手段は、前記光沢度情報および色空間情報の比較結果に基づき、前記画像形成装置を選択することを特徴とする請求項３に記載された画像処理装置。
【請求項５】
さらに、前記比較結果に基づき、選択された画像形成装置の画像形成モードを設定する設定手段を有することを特徴とする請求項３または請求項４に記載された画像処理装置。
【請求項６】
前記選択手段は、前記比較結果に基づき、前記画像の形成に使用する複数の画像形成装置を選択することを特徴とする請求項３から請求項５の何れかに記載された画像処理装置。
【請求項７】
デバイスに固有の色空間とデバイスに依存しない色空間との間の色変換に関する情報を記述したプロファイルを作成する画像処理方法であって、
画像の光沢度を示す情報を入力し、
入力した光沢度情報を前記プロファイルに記述することを特徴とする画像処理方法。
【請求項８】
複数の画像形成装置を、それら装置のプロファイルに基づき制御する制御方法であって、
前記プロファイルに記述された光沢度を示す情報を取得し、
取得した光沢度情報と、前記画像形成装置に形成させるべき画像に指定された光沢度情報と比較し、
その比較結果に基づき、前記複数の画像形成装置から前記画像の形成に使用する画像形成装置を選択し、
選択した画像形成装置へ、前記形成すべき画像を送信することを特徴とする制御方法。
【請求項９】
画像処理装置を制御して、請求項７に記載された画像処理を実行することを特徴とするプログラム。
【請求項１０】
情報処理装置を制御して、請求項８に記載された制御を実行することを特徴とするプログラム。
【請求項１１】
請求項９または請求項１０に記載されたプログラムが記録されたことを特徴とする記録媒体。
【発明の詳細な説明】
【０００１】
【発明の属する技術分野】
本発明は画像処理装置および制御装置、並びに、それらの方法に関し、例えば、画像の光沢度を考慮した画像処理に関する。
【０００２】
【従来の技術】
今日、電子写真方式のプリンタやカラー複写機が出力する画像の画質は飛躍的に向上し、オフセット印刷の画質に匹敵するまでに達した。これは帯電、現像、転写、定着およびクリーニングなどの画像形成プロセスの向上、さらに、トナーの彩度方向の色再現範囲を広げた結果によるものである。
【０００３】
一方、プリンタやカラー複写機をネットワークに接続して、マルチ機能プリンタ（ＭＦＰ：　Ｍｕｌｔｉ　Ｆｕｎｃｔｉｏｎ　Ｐｒｉｎｔｅｒ）として利用する傾向が強まった。このため、ネットワークを介して、様々なデバイスからプリンタやカラー複写機へ画像が入力されるようになり、それら画像の色を合わせることは困難な状態になった。このような不都合を解決するために、様々なカラーマネージメント手法が提案されている。その一つに、デファクトスタンダードになりつつある、ＩＣＣ　（Ｉｎｔｅｒｎａｔｉｏｎａｌ　Ｃｏｌｏｒ　Ｃｏｎｓｏｒｔｉｕｍ）プロファイルを使うカラーマネージメントシステム（ＣＭＳ）がある。
【０００４】
さらに、デザイナが色調整した画像を各拠点で出力するためのリモートプルーフやクラスタプリンティングなどを実現するために、ネットワークサーバに複数台の画像形成装置を接続して画像を出力する、新しい画像形成装置の使い方が普及しつつある。
【０００５】
さらに、画像形成装置の安定性を考慮して、ＩＣＣプロファイルの多次色テーブルは変換せずに、単色のみの階調性を初期状態に合わせるキャリブレーション手法も提案されている。
【０００６】
【発明が解決しようとする課題】
ＩＣＣプロファイルには、属性情報として光沢／艶なし（ｇｌｏｓｓｙ／ｍａｔｔｅ）のおおまかな光沢情報が含まれるが、二つの選択肢では、到底、グロスマッチングなどはできない。同じ色を再現するにしても、光沢が異なれば、当然、出力画像の印象は違ったものになる。そのためには、グロスシミュレーションをコンピュータ機器で行う必要がある。勿論、グロスシミュレーションを行う場合も、そのＩＣＣプロファイルが規定する画像形成装置を選択し、画像を出力しなければ意味がない。
【０００７】
上記のクラスタプリンティングにおける画像形成装置の選択には色を重視したフローを採用するが、光沢度に関するマッチングをシミュレートし、画像形成装置を選択するものはない。
【０００８】
このような状況では、画像形成装置の機種が異なれば所望する光沢感を与える画像を出力することはできず、出力画像の印象が異なるという現象が生じる。
【０００９】
本発明は、上述の問題を個々にまたはまとめて解決するためのもので、画像の光沢度を考慮して画像処理することを目的とする。
【００１０】
【課題を解決するための手段】
本発明は、前記の目的を達成する一手段として、以下の構成を備える。
【００１１】
本発明にかかる画像処理装置は、デバイスに固有の色空間とデバイスに依存しない色空間との間の色変換に関する情報を記述したプロファイルを作成する画像処理装置であって、画像の光沢度を示す情報を入力する入力手段と、入力された光沢度情報を前記プロファイルに記述する記述手段とを有することを特徴とする。
【００１２】
また、複数の画像形成装置が接続され、それら装置のプロファイルを記憶する画像処理装置であって、前記プロファイルに記述された光沢度を示す情報を取得する取得手段と、取得された光沢度情報と、前記画像形成装置に形成させるべき画像に指定された光沢度情報と比較する比較手段と、その比較結果に基づき、前記複数の画像形成装置から前記画像の形成に使用する画像形成装置を選択する選択手段と、選択された画像形成装置へ、前記形成すべき画像を送信する送信手段とを有することを特徴とする。
【００１３】
本発明にかかる画像処理方法は、デバイスに固有の色空間とデバイスに依存しない色空間との間の色変換に関する情報を記述したプロファイルを作成する画像処理方法であって、画像の光沢度を示す情報を入力し、入力した光沢度情報を前記プロファイルに記述することを特徴とする。
【００１４】
本発明にかかる制御方法は、複数の画像形成装置を、それら装置のプロファイルに基づき制御する制御方法であって、前記プロファイルに記述された光沢度を示す情報を取得し、取得した光沢度情報と、前記画像形成装置に形成させるべき画像に指定された光沢度情報と比較し、その比較結果に基づき、前記複数の画像形成装置から前記画像の形成に使用する画像形成装置を選択し、選択した画像形成装置へ、前記形成すべき画像を送信することを特徴とする。
【００１５】
【発明の実施の形態】
以下、本発明にかかる一実施形態の画像処理を図面を参照して詳細に説明する。
【００１６】
現在、色再現性を考慮した様々な処理が提案されているが、以下の説明では、近年市場で受け入れられているＩＣＣプロファイルを用いる処理を説明する。
【００１７】
ＩＣＣプロファイルは、一つのデバイスの色空間に対応して定義されたカラー画像データを、別のデバイスに固有の色空間またはデバイスに依存しない色空間ＰＣＳ　（Ｐｒｏｆｉｌｅ　Ｃｏｎｎｅｃｔｉｏｎ　Ｓｐａｃｅ）に対応して定義されるカラー画像データに変換するために使用される。例えば、ＩＣＣプロファイルには、ＲＧＢ色空間の画像データをＰＣＳの画像データに変換し、さらに、カラープリンタのＣＭＹＫ色空間の画像データに変換する一連の標準色変換演算が定義されている。
【００１８】
ただし、上述したように、ＩＣＣプロファイルのパブリックタグに含まれるグロス情報には「光沢／艶なし」しかなく、光沢感をマッチングさせることは困難である。そのため、実施形態では、プライベートタグにグロス情報を付加し、状況に応じてグロスマッチングを行う。
【００１９】
［構成］
図１は実施形態の画像処理を実行するシステムの構成例を示すブロック図である。
【００２０】
パーソナルコンピュータなどの汎用のコンピュータ１は、ＲＯＭ　２８やハードディスク（ＨＤ）７に格納されたプログラムに基づき、ＲＡＭなどで構成されるメインメモリ２９をワークエリアとして、システムバス２１に接続された各構成を制御するとともに、後述する処理を実行する。
【００２１】
システムバス２１には次のインタフェイスなど接続されている。シリアルインタフェイス（Ｉ／Ｆ）２２にはカラー画像を測色して、その測色結果をコンピュータ１に入力する測色器１５が、パラレルＩ／Ｆ　２３にはコンピュータ１から出力される画像データに基づきカラー画像を記録媒体に記録するカラー複写機（またはプリンタ）１６が、ディスプレイＩ／Ｆ　２５にはモニタ２が、デバイスＩ／Ｆ　２６にはキャラクタコードおよびコマンドを入力するためのキーボード４や、モニタ２に表示されたオブジェクトを指示かつ操作するためのマウスなどのポインティングデバイス６が、ディスクＩ／Ｆ　２７にはＨＤ　７およびＣＤ−ＲＯＭなどの記憶メディア用のＣＤ−ＲＯＭドライブ１４が接続される。また、ネットワークインタフェイスカード（ＮＩＣ）２４は、ネットワークケーブル１７を介してＬＡＮなどのネットワークに接続するためのものである。
【００２２】
なお、シリアルＩ／Ｆ　２２やデバイスＩ／Ｆ　２６としてＲＳ２３２ＣやＲＳ４２２などのシリアルインタフェイス、あるいは、ＵＳＢ　（Ｕｎｉｖｅｒｓａｌ　Ｓｅｒｉａｌ　Ｂｕｓ）やＩＥＥＥ１３９４などのシリアルバスを使用する。また、パラレルＩ／Ｆ　２３としてＩＥＥＥ１２８４、ＳＣＳＩまたはＧＰＩＢなどのインタフェイスを使用する。ディスクＩ／Ｆ　２７にはＡＴＡ（ＡＴＡＰＩ）、ＳＣＳＩなどのパラレルインタフェイス、あるいは、ＵＳＢ、ＩＥＥＥ１３９４、ＳｅｒｉａｌＡＴＡなどのシリアルバスを使用する。なお、測色器１５やプリンタ１６をデバイスＩ／Ｆ　２６に接続することもできる。
【００２３】
図２はＨＤ　７に格納されたソフトウェアやデータを説明する図で、オペレーティングシステム（ＯＳ）８、ＣＭＭ　（Ｃｏｌｏｒ　Ｍａｔｃｈｉｎｇ　Ｍｏｄｕｌｅ）を含むカラーマネジメントシステム（ＣＭＳ）９、ＩＣＣプロファイルなどを作成（変更）するアプリケーション１０、プライベートタグを記憶させるプロファイルマネジャ１１、および、ＩＣＣプロファイル１２などが格納されている。コンピュータ１は、これらのプログラムやデータを、ＣＤ−ＲＯＭなどの記憶メディアから読み込み、ハードディスク７へ格納することができる。
【００２４】
また、カラー複写機１６は、記録媒体の光沢度を読み取る機能を有し、読み取った光沢度を示す情報をコンピュータ１へ入力することができる。
【００２５】
なお、図１に示すコンピュータ１は、汎用のコンピュータに限らず、専用のコンピュータやデータ処理装置を利用することもできる。
【００２６】
［ＣＭＳおよびＩＣＣプロファイル］
ＣＭＳ　９に含まれるＣＭＭは、ＩＣＣプロファイル１２の記述を参照して色変換を行う役割を担う。例えば、ＩＣＣプロファイルに格納されたデータを使用して、ＲＧＢ色空間の画像データを、ＣＭＹＫのような別の色空間に変換する。言い換えれば、ＩＣＣプロファイルは、あるデバイスが作成した画像データを、別のデバイスに固有の色空間の画像データに変換するためのものである。例えば、ＩＣＣプロファイルを使用して、モニタ用のＲＧＢ画像データを、プリンタ用のＣＭＹＫ画像データに変換することができる。
【００２７】
ＩＣＣプロファイルは、デバイスごとに提供され、そのデバイスに関する色変換情報をＣＭＭに提供する。図３は色変換を説明するための図で、ＣＭＭ　１０２は、入力機器１０１のＩＣＣプロファイル１０４を参照して、入力機器に依存する色空間のＲＧＢ画像データを、デバイスに依存しない色空間（ＰＣＳ）のＬａｂ（またはＸＹＺ）データへ変換して、必要に応じて色空間圧縮（ｇａｍｕｔ　ｍａｐｐｉｎｇ）を施し、さらに、出力機器１０３のＩＣＣプロファイル１０５を参照して、Ｌａｂデータを出力機器１０３に依存する色空間のＣＭＹＫデータへ変換する。勿論、逆方向の色変換も可能である。このように、ＣＭＭは、二つのデバイスに依存する色空間の間で色変換を行うためにＩＣＣプロファイルを使用する。
【００２８】
なお、図３には、スキャナなどの入力機器１０１およびプリンタなどの出力機器１０３に対応するＩＣＣプロファイル１０４および１０５を示すが、それらＩＣＣプロファイルがその機器に組み込まれているわけではない。それらＩＣＣプロファイルは、ＣＭＭが色変換するべきデータ（ＴＩＦＦなどの画像データ）に埋め込まれていてもよいし、ＣＭＭを実行するコンピュータ１のメモリに記憶されていてもよい。さらに、ＩＣＣプロファイルは、スキャナやプリンタのほかにも、ディジタルカメラ、モニタ、カラーファクシミリ装置などの画像入出力デバイスに適用することができる。
【００２９】
ところで、ＰＣＳは、Ｄ５０標準光源、均等色空間であるＣＩＥ　ＬａｂまたはＸＹＺ色度座標が定義され、測色条件も０／４５または４５／０反射率測定が規定されている。
【００３０】
図４はＩＣＣプロファイルの構造を示す図で、ヘッダ３９およびタグテーブル４０の二つの基本要素を含む。ヘッダ３９は、ＩＣＣプロファイルに従い入力画像データを処理するために、ＣｏｌｏｒＳｙｎｃ（Ａｐｐｌｅ社の色変換エンジン）などのＣＭＭによって使用される情報を含む。
【００３１】
ＩＣＣプロファイルには、ＣＭＭがＰＣＳとデバイスに依存する色空間との間でカラー情報を変換するために必要な、一連の情報を不足なく提供するように設計されたリカードパブリックタグ（ｒｅｑｕｉｒｅｄ　ｐｕｂｌｉｃ　ｔａｇ）が含まれている。さらに、ＩＣＣプロファイルは、付加変換を行うために使用することができるオプショナルパブリックタグ（ｏｐｔｉｏｎａｌ　ｐｕｂｌｉｃ　ｔａｇ）、および、個々の開発者がそのＩＣＣプロファイルに専用の値を追加するためにカスタマイズ可能なプライベートタグを含んでよい。
【００３２】
入力データの色変換を行うには、プロファイル記述タグ、デバイスメーカタグ、デバイスモデル名タグ、メディアＸＹＺ白色点タグ（ｍｅｄｉａ　ＸＹＺ　ｗｈｉｔｅ　ｐｏｉｎｔ　ｔａｇ）、ＵＣＣＭＳプライベート情報タグ、著作権タグ、ＲＧＢそれぞれの相対ＸＹＺ三刺激値を含む色材タグ、Ｒ（赤）チャネル、Ｇ（緑）チャネルおよびＢ（青）チャネルのガンマタグなどが必要である。
【００３３】
画面表示用に色変換を行うには、プロファイル記述タグ、デバイスメーカタグ、デバイスモデル名タグ、メディアＸＹＺ白色点タグ、著作権タグ、ＲＧＢそれぞれの蛍光体などの相対値を含む色材タグ、Ｒチャネル、ＧチャネルおよびＢチャネルのガンマタグなどが必要である。
【００３４】
ハードコピー用に出力色変換を行うには、プロファイル記述タグ、デバイスメーカタグ、デバイスモデル名タグ、ＡｔｏＢ０タグ、ＢｔｏＡ０タグ、ガマットタグ（ｇａｍｕｔｔａｇ）、ＡｔｏＢ１タグ、ＢｔｏＡ１タグ、ＡｔｏＢ２タグ、ＢｔｏＡ２タグ、ＵＣＣＭＳプライベート情報タグ、ＸＹＺメディア白色点タグ、測定タグおよび著作権タグなどが必要である。
【００３５】
ＡｔｏＢｘタグは、ＩＣＣ　ｌｕｔ８Ｔｙｐｅ、または、ＩＣＣ　ｌｕｔ１６Ｔｙｐｅ構造の何れかを有する。ＩＣＣ　ｌｕｔ８Ｔｙｐｅ、または、ＩＣＣ　ｌｕｔ１６Ｔｙｐｅ構造の汎用モデルは次のとおりである。
マトリクス　→　一次元ＬＵＴ　→　多次元ＬＵＴ　→　一次元ＬＵＴ
【００３６】
タグがｌｕｔ８Ｔｙｐｅ構造の場合、入力および出力ＬＵＴ、並びに、カラーＬＵＴは８ビット符号なし値のアレイである。各入力テーブルは、１バイト整数から構成される。また、入力テーブルのエントリは、それぞれ０から２５５の範囲に適切に標準化されている。
【００３７】
出力デバイス用のＩＣＣプロファイルに含まれるＡｔｏＢｘタグは、ＣＭＹＫ色空間から他の色空間へ変換するための色変換テーブルを含み、所謂ソース（ターゲットともいう）プロファイルとして使用される。
【００３８】
一方、出力デバイス用のＢｔｏＡｘタグは色変換が逆になり、Ｌａｂ色空間からＣＭＹＫ色空間に変換するための情報を含み、主に、ディスティネーションプロファイルとして使用される際に参照される。
【００３９】
ＡｔｏＢ０およびＢｔｏＡ０のタグは、知覚的（Ｐｅｒｃｅｐｔｕａｌ）な色変換を行うためのタグで、主に、階調（グラデーション）再現を重視する写真画像に適した色変換を行う、明度保存を前提にしたカラーマッチング用である。
【００４０】
ＡｔｏＢ１およびＢｔｏＡ１のタグは、色差を最小とする色変換を行うためのタグで、出力デバイスの色再現域がターゲットのそれよりもすべての領域で広い場合、並びに、高彩度領域に画像が存在しないときなどに有効である。また、社章などのロゴマークの色再現には、色の規定が厳しいことから、このカラーマッチングが採用される。
【００４１】
ＡｔｏＢ２およびＢｔｏＡ２のタグは、彩度を保存する色変換を行うためのタグで、階調再現には向かないが、主に、ビジネスグラフィック画像のカラーマッチングに使用される。
【００４２】
ガマットタグは、一入力一出力の一次元ルックアップテーブル（ＬＵＴ）で、入力チャネル（Ｌａｂ）に対して、その出力デバイスが再現可能か否かが記述される。ＡｔｏＢ０タグと同じフォーマットを有する。
【００４３】
図５はＩＣＣプロファイルの詳細例を示す図で、ヘッダ３９およびタグテーブル４０に下記の項目が記述される。
Ｓｉｚｅ：プロファイルのサイズを定義する。
ＣＭＭ　Ｔｙｐｅ：複数のＣＭＭを組み込んだコンピュータが、どのＣＭＭをデフォルトとして使用するかを記述する。例えば「Ａｐｐｌ」または「ＡＣＭＳ」は上述したＣｏｌｏｒＳｙｎｃを、「ＫＣＭＳ」はＫｏｄａｋＣＭＳ（Ｋｏｄａｋ社の色変換エンジン）を意味する。
Ｖｅｒｓｉｏｎ：　プロファイルのバージョンを示す。
Ｐｒｏｆｉｌｅ　Ｃｌａｓ：　プロファイルの種類を定義する。パラメータは下記の何れか一つであればよい。
ｏｕｔｐｕｔ　…　プリンタなどの出力デバイス
ｉｎｐｕｔ　…　スキャナやディジタルカメラなどの入力デバイス
ｄｉｓｐｌａｙ　…　ＣＲＴや液晶などの表示デバイス
ｄｅｖｉｃｅ　ｌｉｎｋ　…　複数のプロファイルの組み合わせ構造
ｃｏｌｏｒ　ｓｐａｃｅ　ｃｏｎｖｅｒｓｉｏｎ　…　非デバイス型プロファイル間、例えばＬａｂ／ＸＹＺなどの色空間変換
ａｂｓｔｒａｃｔ　…　ＰＣＳ（Ｐｒｏｆｉｌｅ　Ｃｏｎｎｅｃｔｉｏｎ　Ｓｐａｃｅ）間でカラーデータを変換するための固有の方法
Ｃｏｌｏｒ　Ｓｐａｃｅ：プロファイルに基づきカラー画像データを変換する際のカラーフォーマットを定義し、ＲＧＢ、ＸＹＺ、ＧＲＡＹ（グレイスケール）、ＣＭＹ、Ｌｕｖ、ＨＳＶ、ＣＭＹＫ、ＹＣｂｒ、ＨＬＳ、ＬａｂおよびＹｘｙの何れか一つであればよい。
Ｃｏｎｎｅｃｔｉｏｎ　Ｓｐａｃｅ：プロファイル結合空間を定義し、ＬａｂまたはＸＹＺの何れかであればよい。
Ｃｒｅａｔｉｏｎ　Ｄａｔｅ：プロファイルの作成日時を定義する。
ＣＳ２　Ｓｉｇｎａｔｕｒｅ：プロファイルのファイルシグネチャを定義し、プロファイルを使用するデバイスのオペレーティングシステム（ＯＳ）がアイコンを作成するために使用する。
Ｐｒｉｍ　ｐｌａｔｆｏｒｍ：プロファイルが作成されたプラットフォームまたはＯＳを定義する。そのパラメータは下記の何れかであればよい。
Ａｐｐｌ　…　ＡｐｐｌｅのＯＳ
ＭＳＦＴ　…　ＭｉｃｒｏｓｏｆｔのＯＳ
ＳＧＩ　…　Ｓｉｌｉｃｏｎ　Ｇｒａｐｈｉｃｓ
ＳＵＮＷ　…　Ｓｕｎ
ＴＧＮＴ　…　Ｔａｌｉｇｅｎｔ
Ｆｌａｇｓ：ＣＭＭのためのヒント情報が含まれる。「ｅｍｂｅｄｄｅｄ／ｎｏｔ　ｅｍｂｅｄｄｅｄ」を示せば、画像ファイルなどに埋め込まれたプロファイル／独立したファイルを表し、「ｅｍｂｅｄｄｅｄ　ｏｎｌｙ／ｕｓｅ　ａｎｙｗｈｅｒｅ」を示せば、埋め込まれた状態でのみ使用可能／切り離しても使用可能を表す。
ｄｅｖｉｃｅＭａｎｕｆａｃｔｕｒｅｒ：プロファイルの作成者を記述する。
ｄｅｖｉｃｅＭｏｄｅｌ：プロファイルが使用されるべきデバイスのモデル番号または名称を定義する。なお、ｄｅｖｉｃｅＭｏｄｅｌのパラメータは、ＩＣＣ、ＡｐｐｌｅのＣｏｌｏｒＳｙｎｃおよびＭｉｃｒｏｓｏｆｔのＩＣＭの規定に準拠する必要がある。とくに、モデル番号または名称は「Ａ」から「Ｚ」までの文字（大文字のみ）および「０」から「９」の文字を使用する４バイトのＡＳＣＩＩ文字列でなければならない。
ｄｅｖｉｃｅＡｔｔｒｉｂｕｔｅｓ：プロファイル作成時の透過性や表面の光沢性を記述する。「Ｒｅｆｌｅｃｔｉｖｅ／Ｔｒａｎｓｐａｒｅｎｃｙ」（反射色／透過色）、「Ｇｌｏｓｓｙ／Ｍａｔｔｅ」（光沢あり／艶消し）などが記述される。
Ｉｎｔｅｎｔ：プロファイルの設計趣旨（ｉｎｔｅｎｔ）、つまり知覚的（ｐｅｒｃｅｐｔｕａｌ）、色差最小（ｒｅｌａｔｉｖｅ　ｃｏｌｏｒｉｍｅｔｒｉｃまたはａｂｓｏｌｕｔｅ　ｃｏｌｏｒｉｍｅｔｒｉｃ）、彩度重視（ｓａｔｕｒａｔｉｏｎ）を定義する。
Ｗｈｉｔｅ　ＸＹＺ：ＰＣＳのＸＹＺ色度値を定義し、白色ＸＹＺを正規化した値が記述される。
【００４４】
このようにヘッダ３９は、ヘッダに格納可能なすべての情報を隈なく含むリストではなく、単に、ヘッダに格納可能な情報の一例を示しているのに過ぎない。
【００４５】
タグテーブル４０は、パブリックタグおよびプライベートタグともに、タグのリストと、それらタグに関する情報とを含む。先述したように、パブリックタグは、すべてのＩＣＣプロファイルで使用することができる通常の色変換演算を定義する。タグテーブル４０で規定されるパブリックタグの一例は、３×３色変換マトリクス処理、三次元ＬＵＴ、および、三つの一次元ＬＵＴの二組を含むＡｔｏＢ２である。パブリックタグの他の例は、ＩＣＣプロファイルフォーマット文書にさらに詳細に記述されている。
【００４６】
【第１実施形態】
詳細は以下で説明するが、第１実施形態は、デバイスに固有の色変換情報であるＩＣＣプロファイルを作成するシステムにおいて、「光沢／艶なし」という表現でしか記載されなかったグロス情報を、光沢度を含むグロス情報に拡張して、カラーマッチングのみではなく、グロスマッチングを可能にするものである。光沢度を記述するグロス情報は、ＩＣＣプロファイルのプライベートタグに記述され、必要に応じて参照される。言い換えれば、第１実施形態は、光沢度情報をプライベートタグに記述したＩＣＣプロファイルを作成するシステムである。
【００４７】
［光沢度情報の入力］
プライベートタグに記述する光沢度情報は、コンピュータ１に接続されたカラー複写機１６のスキャナによって測定される。図６はスキャナの画像読取部を示す図である。
【００４８】
画像読取部は、通常の画像読取時は、光源１１３から出力され、原稿台ガラス１１２上に載置された原稿１１１から反射される乱反射成分を、結像素子アレイ１１４および赤外線カットフィルタ１１５を介して、ＣＣＤ　１１６によって検出し色信号に変換する。
【００４９】
一方、光沢度を取得する場合は、光源１１８から出力され、原稿台ガラス１１２上に載置された原稿などで反射される光を、集光レンズ１１０を介して、光源１１８に対して正反射の角度に設けた受光器１１９へ入力し、原稿などの正反射光量を電気信号に変換し、光沢度情報に変換する。
【００５０】
勿論、画像読取時および光沢度の取得時は、上記の光学素子が組み込まれたスキャナユニット１１７を、図に示す矢印Ｃの方向に移動して、原稿などを走査して、ＣＣＤ　１０６によって読み取られた画像情報を基に、原稿範囲、最適照射光量などを演算処理し決定する。また、受光器１１９によって読み取られた画像情報を基に、反射光量を光沢度（グロス値）に変換する。
【００５１】
なお、光沢度は、ＪＩＳ　Ｚ　８７４１に規定されるように、屈折率１．５６７のガラス表面の光沢度を１００とする値である。
【００５２】
［ＩＣＣプロファイルの作成］
次に、ＩＣＣプロファイルの作成手順を説明する。なお、グロス情報の対象デバイスとして、電子写真方式のプリンタを説明するが、電子写真方式のプリンタに限定されるわけではない。
【００５３】
ＩＣＣプロファイルは「デバイスに固有の色空間←→デバイスに依存しない色空間」の変換を実現するための入出力関係が記述された、いたってシンプルなものである。そのため、まず、デバイスがどのような色特性をもつのかを把握しなければならない。
【００５４】
図７はＩＣＣプロファイルの作成手順を説明するフローチャートで、ＣＰＵ　２０がプロファイル作成アプリケーションを実行することで実現される処理である。
【００５５】
ＣＰＵ　２０は、複数のカラーパッチで構成されるカラーチャートを形成するためのＣＭＹＫ画像データを出力する（Ｓ１）。通常、ＩＳＯが管理するＩＴ８．７／３の９２８パッチを利用するＩＣＣプロファイル作成アプリケーションが多いので、本実施形態も、ＩＴ８．７／３の９２８パッチ用の画像データを利用する。
【００５６】
ＣＰＵ　２０が出力するカラーチャート用の画像データに基づき、カラー複写機１６は、記録媒体にカラーチャートを形成する。このカラーチャートの各カラーパッチは測色器１５によって測色され、その測色結果の測色値（Ｌａｂデータ）は、コンピュータ１に入力される。
【００５７】
コンピュータ１は、測色値が入力されると（Ｓ２）、測色値およびカラーチャートの画像データに基づき、Ｌａｂ→ＣＭＹＫ変換テーブルであるＢｔｏＡｘテーブルおよびＣＭＹＫ→Ｌａｂ変換テーブルであるＡｔｏＢｘテーブルを作成する（Ｓ３）。
【００５８】
一般に、出力機器はＣＭＹＫ四色の色材を使用して画像を形成するから、原理的には、各色成分信号の合計（以下「信号和」と呼ぶ）は０〜４００％になるが、トナー（またはインク）の消費量、実際の色再現の必要性、トナーの飛散（インクの未乾燥）などを考慮して、出力機器は信号和を２４０〜３００％程度に制限している。勿論、色再現性を重視するユーザがトナー消費量を多く設定し、トナーのコストを重視するユーザがトナー消費量を少なく設定することができるように、多くのプロファイル作成アプリケーションは、信号和の上限が設定可能になっている。
【００５９】
本実施形態のプロファイル作成アプリケーション１０も、信号和の設定が可能であり、信号和の制限を２４０から４００％の範囲で設定可能である。信号和の制限が指定された場合、最低明度点を以下のように設定にする。例えば、信号和が２８０％に指定された場合は最低明度点をＫが１００％、ＣＭＹそれぞれが６０％（合計２８０％）に設定した信号を用いて色変換テーブルを作成する。
【００６０】
ＣＰＵ　２０は、モニタ２にダイアログを表示して、光沢度情報を記述するか否かをユーザに尋ね（Ｓ４）、埋め込まないと指示された場合、生成した変換テーブルにサイズ（Ｓｉｚｅ）、ＣＭＭタイプ（ＣＭＭ　Ｔｙｐｅ）、プロファイルクラス（Ｐｒｏｆｉｌｅ　Ｃｌａｓｓ）、白色点ＸＹＺ（Ｗｈｉｔｅ　ＸＹＺ）などを加えてＩＣＣプロファイルとしてＨＤ　７の所定領域などに保存する（Ｓ５）。つまり、グロス情報なしの通常のＩＣＣプロファイルとして保存される。
【００６１】
一方、光沢度情報の埋め込みが指示された場合、ＣＰＵ　２０は、光沢度情報を取得するため、「カラーチャートをカラー複写機の原稿台に置いてください」などのメッセージをモニタ２に表示する（Ｓ６）。このメッセージに応じて、ユーザは、先のカラーチャートを原稿台に置き、例えばモニタ２に表示された「読取」ボタンをクリックする。
【００６２】
ＣＰＵ　２０は、読み取りが指示されると（Ｓ７）、カラー複写機１６に光沢度情報の取得を指示する（Ｓ８）。この指示に応じて、カラー複写機１６は、光沢度情報を取得し、その光沢度情報をコンピュータ１に送信する。光沢度情報を入手したコンピュータ１は、ＩＣＣプロファイルのプライベートタグに、その光沢度情報を記述し（Ｓ９）、その後、処理をステップＳ５へ進める。
【００６３】
光沢度情報は、プロファイル作成アプリケーション１０に従い、以下のようなフォーマットにまとめられる。
ａｖｅ＿Ｇ　ｔａｇ：平均光沢度
Ｓｉｇ＿Ｇ　ｔａｂｌｅ　ｔａｇ：信号和（０〜３００％）対光沢度（０〜１００）
ｗｈｉｔｅ＿Ｇ　ｔａｇ：メディア光沢度（各画像信号が０％のパッチの光沢度）
【００６４】
上記のａｖｅ＿Ｇは、最低明度点のパッチ、イエロー１００％およびマゼンタ１００％のレッドパッチ、シアン１００％およびイエロー１００％のグリーンパッチ、シアン１００％およびマゼンタ１００％のブルーパッチ、並びに、各色０％のホワイトパッチの八つのパッチの平均光沢度のことである。
【００６５】
Ｗｈｉｔｅ＿Ｇタグには各色０％における光沢度を記述する。
【００６６】
Ｓｉｇ＿Ｇテーブルは、ＢｔｏＡｘタグにも含まれるような一次元のＬＵＴで、信号和０〜３００％を８ビットで規格化（３００％　→　２５５）した入力値と、光沢度０〜１００を８ビットで規格化（１００　→　２５５）との関係が記述される。より詳細には、信号和０〜１００％に対応するテーブルは、ＣＭＹＫ各単色階調における光沢度との関係を平均化（ＣＭＹＫ平均）したテーブルである。１００％超、２００％までに対応するテーブルは、ＲＧＢ（二次色）の階調における光沢度との関係を平均化（ＲＧＢ平均）したテーブルである。２００％超、３００％までに対応するテーブルは、ＣＭＹ三色を合成したプロセスブラックの階調における光沢度との関係を記述したテーブルである。
【００６７】
このような光沢度情報をプライベートタグに記述することで、画像のハーフトーン部における光沢感の不自然さを解消するグロスマッチングが可能になる。なお、光沢感の不自然さには、例えば記録媒体の光沢度が高く、ハーフトーン部でトナー段差による光沢度の低下が発生し、トナーが埋まるにつれてトナーの光沢のために光沢度が高くなる現象などがある。画像を観察する人間が受ける印象としては、人物などの眼がぎらつく、歯茎の影部分が光り過ぎるなど光沢違和感を受ける、などである。
【００６８】
なお、図８は、本実施形態によってグロスマッチングを行った場合と、行わない場合の出力画像の光沢度の概要を示す図で、グロスマッチングにより、信号和と光沢度との関係がリニアになり、光沢違和感を軽減することができる。
【００６９】
【実施例】
以下では、実施例として、光沢度情報を追加したＩＣＣプロファイルの利用方法を説明する。
【００７０】
［利用方法１］
プロファイル作成アプリケーション１０を実行するＣＰＵ　２０は、上記の手順によって光沢度情報を記述したＩＣＣプロファイルを、他のアプリケーションが使用できるように、ＨＤ　７のＩＣＣプロファイル格納部に格納する。具体的には、Ｗｉｎｄｏｗｓ（Ｒ）ならば「Ｓｙｓｔｅｍ￥Ｃｏｌｏｒ」フォルダに、ＭａｃＯＳ（Ｒ）ならば「システムフォルダ：ＣｏｌｏｒＳｙｎｃプロファイル」フォルダに保存する。
【００７１】
ＩＣＣプロファイルは、通常のデータファイルとして扱うことができるから、コンピュータ１のユーザは、ＩＣＣプロファイルを配布する、サーバへ保存して公開する、画像形成装置へダウンロードするなどが可能である。また、コンピュータ１は、ネットワークを介して様々なプリンタや複写機に画像出力を指示することができる。
【００７２】
図９は光沢度情報を有するＩＣＣプロファイルの利用方法を説明するためのフローチャートで、ユーザが印刷を指示した場合に、ＣＭＳ　６を実行するＣＰＵ　２０によって実現される処理である。
【００７３】
まず、ユーザが光沢度情報を有するＩＣＣプロファイルをソースプロファイルとして選択したか否かを判定し（Ｓ１１）、光沢度情報を有するＩＣＣプロファイルがソースプロファイルとして選択された場合は、コンピュータ１に登録されたプリンタや複写機のＩＣＣプロファイル（一台当り複数のＩＣＣプロファイルが登録されている場合もある）の平均光沢度タグ（ａｖｅ＿Ｇ　ｔａｇ）を参照し（Ｓ１５）、ソースプロファイルの平均光沢度との差ΔＧが所定値以下になるプリンタや複写機をピックアップし（Ｓ１６）、ピックアップしたプリンタや複写機のリストをモニタ２に表示する（Ｓ１７）。
【００７４】
ユーザは、モニタ２に表示されたリストから使用するプリンタや複写機を選択することができる。これは、ＣＰＵ　２０がピックアップしたプリンタや複写機が、ユーザの近傍にあるとは限らず、例えば異なるフロアにある場合などを考慮したものである。なお、リストには、例えばΔＧの順に装置名を並べるとよい。
【００７５】
ユーザが、モニタ２に表示されたリストから装置を選択し、例えばモニタ２に表示された「印刷開始」ボタンをクリックすると（Ｓ１８）、ＣＰＵ　２０は、選択された装置はグロスコントロール可能か否かを判定し（Ｓ１９）、可能であればその装置をグロスモードに設定し（Ｓ２０）、選択された装置のＩＣＣプロファイルをディスティネーションプロファイルとして、印刷対象の画像データに色空間圧縮を含む色変換を施し（Ｓ２１）、色変換した画像データを選択された装置にダウンロードして画像を形成させる（Ｓ２２）。
【００７６】
なお、光沢度が変われば、入射光に対する正反射成分が変化するため、色に関する乱反射成分も変化する。従って、グロスコントロールが可能な画像形成装置のＩＣＣプロファイルは、グロスモードごとに準備する必要がある。
【００７７】
また、光沢度情報を有するＩＣＣプロファイルがソースプロファイルとして選択されなかった場合は、グロスマッチングを行うか否かを問うメッセージをモニタ２に表示して（Ｓ１２）、ユーザからグロスマッチングを行う旨の指示を受けた場合は（Ｓ１３）、ユーザに目標光沢度を例えばキーボードなどから入力させ（Ｓ１４）、その後、処理をステップＳ１５へ進める。また、グロスマッチングを行わない場合は、既定のプリンタまたは複写機が選択されたとして処理をステップＳ２１へ進める。
【００７８】
［利用方法２］
上述したように、光沢度情報を有するＩＣＣプロファイルは、ネットワーク上のサーバなどにアップロードすることが可能である。そこで、以下では、ネットワーク上のプリントサーバに光沢度情報を有するＩＣＣプロファイルをアップロードして登録する例を説明する。
【００７９】
プリントサーバには、複数種類／複数台の画像形成装置が接続されている。プリントサーバは、それら画像形成装置の現在の状態、例えば「紙なし」「紙詰まり」「トナーなし」などのエラー検知・管理・報知、各画像形成装置のＩＣＣプロファイルの登録・管理、ページ記述言語（ＰＤＬ）で記述された画像データをビットマップイメージに展開するＲＩＰ　（Ｒａｓｔｅｒ　Ｉｍａｇｅ　Ｐｒｏｃｅｓｓｉｎｇ）機能などを有する。さらに、１ジョブの画像形成を複数台の画像形成装置に行わせる、所謂クラスタプリンティングも可能である。
【００８０】
図１０はプリントサーバの処理を示すフローチャートで、コンピュータ１などから印刷指示を受信したプリントサーバが実行する処理である。
【００８１】
まず、プリントサーバは、ユーザにプリンタの指定を問うデータをコンピュータ１に送信し（Ｓ１１１）、プリンタが指定されると（Ｓ１１２）、指定されたプリンタ用のプロファイルを用いて受信した画像データに色空間圧縮を含む色変換を施し（Ｓ１１３）、指定されたプリンタに印刷を実行させる（Ｓ１１４）。
【００８２】
一方、指定プリンタがない場合は、ユーザにクラスタプリンティングを実行するか否かを問うデータをコンピュータ１に送信して、その応答を得ると（Ｓ１１５）、ユーザに色および／または光沢感の重視（下記参照）を選択させるためのデータをコンピュータ１に送信する（Ｓ１１６）。
・色を重視
・光沢感を重視
・光沢感を最重視、色を重視
・色を最重視、光沢感を重視
【００８３】
まず、光沢度情報を有するＩＣＣプロファイルの利用方法の説明を中心に「クラスタプリンティングしない」および「光沢感を重視」が選択されたとして説明を行う。
【００８４】
「光沢感を重視」が選択されると、プリントサーバは、ユーザが指定したターゲットの光沢度情報（ターゲットプロファイルの光沢度情報）、または、記録紙の設定条件（光沢度「低（〜１５）」、「中（１６〜４０）」、「高（４１〜）」、および、光沢度の指定状況に基づき、光沢度情報を有するＩＣＣプロファイルを参照して最適な画像形成装置を探索する（Ｓ１１７）。
【００８５】
ＴＩＦＦの画像ファイルなどにはターゲットのＩＣＣプロファイルを組み込むことができる。従って、光沢度情報を有するターゲットプロファイルを埋め込んだ画像ファイルをプリントサーバにダウンロードすることで、プリントサーバに光沢度にマッチする画像形成装置を検索させることも可能である。
【００８６】
●　光沢感を重視
図１１は「光沢感を重視」が選択された場合の最適な画像形成装置の探索（Ｓ１１７）の詳細を説明するフローチャートである。
【００８７】
まず、ａｖｅ＿Ｇ　ｔａｇを参照して、平均光沢度の差ΔＧが最小の装置を探索する（Ｓ２０１）。
2004040184.tif 000003
【００８８】
ΔＧが等しい装置がある場合（Ｓ２０２）、ｗｈｉｔｅ＿Ｇ　ｔａｇを参照して、ホワイトの光沢度の差ΔＷＧが小さい装置を選択する（Ｓ２０３）。なお、ターゲットプロファイルに光沢度情報がない場合は、記録紙の設定を参照し、普通紙のホワイトの光沢度は「低（〜１５）」、光沢紙は「中（１６〜４０）」、キャストコート紙は「高（４１〜）」とする。
【００８９】
ΔＧおよびΔＷＧが等しい装置がある場合（Ｓ２０４）、Ｓｉｇ＿Ｇ　ｔａｂｌｅ　ｔａｇを参照して、ＭｉｎΔＧが最小の装置を選択する（Ｓ２０５）。なお、ＭｉｎΔＧはＳｉｇ＿Ｇ　ｔａｂｌｅ　ｔａｇから導き出される。
【００９０】
ΔＧ、ΔＷＧおよびＭｉｎΔＧが等しい装置がある場合（Ｓ２０６）、Ｓｉｇ＿Ｇ　ｔａｂｌｅ　ｔａｇを参照して、ＭａｘΔＧが最小の装置を選択する（Ｓ２０７）。なお、ＭａｘΔＧはＳｉｇ＿Ｇ　ｔａｂｌｅ　ｔａｇから導き出される。
【００９１】
次に、プリントサーバは選択した画像形成装置のＩＣＣプロファイル、および、ユーザが想定したターゲットのＩＣＣプロファイルにより、色空間圧縮を含む色変換を行い（Ｓ１１８）、ＲＩＰを行い（Ｓ１１９）、選択した装置へビットマップデータを送信して画像を形成させる（Ｓ１２０）。
【００９２】
ターゲットプロファイルは、コンピュータ１などに登録されていることはもちろん、プリントサーバにも登録されていることが望ましい。そのようにすれば、画像ファイルにプロファイルを埋め込まなくても、プリンタドライバの設定によって色変換およびグロスマッチングなどをプリントサーバに行わせることができ、コンピュータ１の負荷を軽減し、処理速度も向上する。また、専門的な知識も必要とせずに、容易にカラーマッチングおよびグロスマッチングすることができる。
【００９３】
●　色を重視
一方、「色を重視」が選択されると、プリントサーバは、ディスティネーションプロファイル（画像形成装置のＩＣＣプロファイル）のｇａｍｕｔ　ｔａｇおよびＡｔｏＢ２　ｔａｇを参照して、ターゲットプロファイルの色域（ｃｏｌｏｒ　ｇａｍｕｔ）と比較する。色域の比較方法としては次の方法が考えられる。
（１）　色立体の色域内外判定（Ｐｈｏｔｏｓｈｏｐ（Ｒ）　６．０の色域警告機能に類する）
（２）　色域体積の比較（色再現範囲（Ｌａｂ）を体積に換算して比較）
（３）　特定ポイントの比較、特定ポイントとしてはＣ、Ｍ、Ｙ、Ｋ、Ｒ、Ｇ、Ｂｋ、Ｗおよび最低明度点（九点）
【００９４】
プリントサーバに登録されたすべてのＩＣＣプロファイルの色域を判定し、最適な画像形成装置を選択することを考えると、判定時間および比較精度を考慮して（３）項の方法を採用する。つまり、ディスティネーションプロファイルのＡｔｏＢ２　ｔａｇを参照して、上記の九点のポイントのＬａｂ値を得る。なお、最低明度点には信号和４００％を採用する。同様に、ターゲットプロファイルから上記九点のＬａｂ値を得て、上記九点の平均色差ΔＥが最小になる画像形成装置を探索する（Ｓ１１７）。
【００９５】
なお、ターゲットよりもディスティネーションの色域が広ければ、当然、ターゲットの色域を満たすことができるが、画像データの限られたビット数（例えば８ビット）では、色域が広ければ広いほど、階調ステップ（８ビットならば１／２５６レベル）に対応する濃度段差が目立つ。これらを配慮して、色立体の外郭部でのΔＥに基づく色域比較法によって画像形成装置を探索する（Ｓ１１７）。
【００９６】
●「光沢感を最重視、色を重視」または「色を最重視、光沢感を重視」
他方、「光沢感を最重視、色を重視」または「色を最重視、光沢感を重視」が選択された場合は、ＩＣＣプロファイルに埋め込まれた光沢度情報、および、「色を重視」と同様に主要な九点のＬａｂ値を参照して、以下の条件を満たす画像形成装置を探索する（Ｓ１１７）。
ΔＧ　＜　５　かつ　ΔＥ　＜　５
【００９７】
図１２は「光沢感を最重視、色を重視」または「色を最重視、光沢感を重視」が選択された場合の最適な画像形成装置の探索（Ｓ１１７）の詳細を説明するフローチャートである。
【００９８】
「光沢感を最重視、色を重視」の場合（Ｓ２１１）、上記の条件を満たす装置が存在するか否かを判定し（Ｓ２１２）、存在すればΔＧが最小の装置を選択する（Ｓ２１３）。また、上記の条件が満たされない場合は、ΔＥの条件を解除してΔＧ　＜　５の装置が存在するか否かを判定し（Ｓ２１４）、存在すればΔＧ　＜　５かつΔＥが最小の装置を選択する（Ｓ２１５）。
【００９９】
一方「色を最重視、光沢感を重視」の場合（Ｓ２１１）、上記の条件を満たす画像形成装置が存在するか否かを判定し（Ｓ２１６）、存在すればΔＥが最小の装置を選択する（Ｓ２１７）。また、上記の条件が満たされない場合はΔＧの条件を解除してΔＥ　＜　５の装置が存在するか否かを判定し（Ｓ２１８）、存在すればΔＥ　＜　５かつΔＧが最小の装置を選択する（Ｓ２１９）。
【０１００】
また、光沢感を最重視する場合にΔＧ　＜　５を満たす装置がない場合、および、色を最重視する場合にΔＥ　＜　５を満たす装置がない場合は、その旨および他のマッチング方法の選択を依頼する旨のデータコンピュータ１に送信し（Ｓ２２０）、ユーザの応答を待つ（Ｓ２２１）。
【０１０１】
●　クラスタプリンティング
ユーザがスピードを重視してクラスタプリンティングを指示した場合、プリントサーバは、上記と同様の条件（ΔＧ　＜　５　かつ　ΔＥ　＜　５）で画像形成装置を探索する（Ｓ１１７）。
【０１０２】
図１３はクラスタプリンティングが指示された場合の最適な画像形成装置の探索（Ｓ１１７）の詳細を説明するフローチャートである。
【０１０３】
「光沢感を重視」が選択された場合は、条件ΔＧ　＜　５を満たす装置の数を把握し、その数に応じて処理を分岐する（Ｓ２３１）。条件を満たす装置の数が「０」「１」または「４以上」の場合は下記のメッセージをコンピュータ１に送信する（Ｓ２３２−Ｓ２３４）。
０の場合：「クラスタプリンティングできません、他の条件に変更してください」
１の場合：「クラスタプリンティングできません、一台で出力してもよいですか？」
４以上の場合：「何台で出力しますか？」
【０１０４】
「一台で出力してもよいか？」のメッセージに対するユーザの応答を判定して（Ｓ２３５）、「Ｙｅｓ」の場合は一台を選択し（Ｓ２３７）、「Ｎｏ」の場合は「０」の場合と同様に「クラスタプリンティングできません、他の条件に変更してください」のメッセージをコンピュータ１へ送信する（Ｓ２３２）。
【０１０５】
「何台で出力しますか？」のメッセージに対してユーザがキーボードなどを使用して台数を指示すると（Ｓ２３６）、その指示に応じた数の装置を選択するが、例えば三台が指定された場合は、ΔＧが小さい側から三台の装置を選択する（Ｓ２３７）。
【０１０６】
また、条件を満たす装置の数が「２」または「３」の場合は、プリントサーバは、ユーザに指示を問うことなくその二台または三台の装置を選択する（Ｓ２３７）。
【０１０７】
「色を重視」が選択された場合は、条件ΔＥ　＜　５を満たす装置の数を把握し、上記と同様に、その数に応じて処理を分岐し（Ｓ２３１）、（ΔＥが小さい順に）装置を選択する（Ｓ２３７）。
【０１０８】
「色を最重視、光沢感を重視」が選択された場合は、条件ΔＥ　＜　５かつΔＧ　＜　５を満たす装置の数を把握し、上記と同様に、その数に応じて処理を分岐し（Ｓ２３１）、（ΔＥが小さい順に）装置を選択する（Ｓ２３７）。
【０１０９】
「光沢感を最重視、色を重視」が選択された場合は、条件ΔＥ　＜　５かつΔＧ　＜　５を満たす装置の数を把握し、上記と同様に、その数に応じて処理を分岐し（Ｓ２３１）、（ΔＧが小さい順に）装置を選択する（Ｓ２３７）。
【０１１０】
このように、光沢度情報を有するＩＣＣプロファイルを利用して、画像形成装置の光沢度および色再現性を容易に把握して、ユーザの要求に応じた画像形成が可能な装置を容易に選択することができる。
【０１１１】
【第２実施形態】
以下、第１実施形態と異なる方法で光沢度情報を取得して、ＩＣＣプロファイルに光沢度情報を埋め込む例を第２実施形態として説明する。なお、本実施形態において、第１実施形態と略同様の構成については、同一符号を付して、その詳細説明を省略する。
【０１１２】
第１実施形態においては、光沢度情報を取得する機能部を備える画像形成装置を必要とする。光沢度情報の容易な取得よりも、コストを重視する場合はハンディタイプの光沢度計を採用する方が望ましい。そこで第２実施形態では、コンピュータ１に、光沢度計の出力情報を入力し、入力される情報を解析して、光沢度情報をＩＣＣプロファイルのプライベートタグに埋め込む。
【０１１３】
図１４はＩＣＣプロファイルの作成手順を説明するフローチャートで、ＣＰＵ　２０がプロファイル作成アプリケーションを実行することで実現される処理である。なお、図７と同様の処理は、同一符号を付して、その詳細説明を省略する。
【０１１４】
第１実施形態では、色変換テーブルの作成に使用したカラーチャートを光沢度の測定に使用したが、カラーチャートのサイズがＡ３だとしてもカラーパッチは１ｃｍ×１ｃｍのサイズに過ぎず、市販の光沢度計には小さ過ぎる。また、ハンディタイプの光沢度計で９２８ものパッチの光沢度を測定するには時間と労力がかかり、実用的ではない。そこで、ハンディタイプの光沢度計による測定を考慮した、ＩＣＣプロファイルに記述する光沢度の項目を減らし、カラーパッチの数を大幅に削減したカラーチャート用の画像データを出力して、カラー複写機１６にカラーチャートを形成させ（Ｓ３１）、光沢度計から光沢度の測定値が入力されると（Ｓ３２）、ステップＳ９を実行する。
【０１１５】
ハンディタイプの光沢度計を用いてＩＣＣプロファイルに光沢度情報を埋め込む際の関連項目は次のとおりである。
ａｖｅ＿Ｇ　ｔａｇ
ｗｈｉｔｅ＿Ｇ　ｔａｇ
【０１１６】
つまり、第１実施形態ではＩＣＣプロファイルに埋め込んだ、Ｓｉｇ＿Ｇ　ｔａｂｌｅ　ｔａｇを埋め込まない。Ｓｉｇ＿Ｇ　ｔａｂｌｅ　ｔａｇは、上述したように、信号和対光沢度の関係を示し、光沢に違和感が発生するか否かの判定に使用される。勿論、重要な項目ではあるが、トナー光沢（７０％以上の信号に対する光沢特性）が一致しない方が人間は敏感である。そのため、第１実施形態で説明した、最適な画像形成装置の探索には使用していない。そこで、第２実施形態ではａｖｅ＿Ｇ　ｔａｇおよびｗｈｉｔｅ＿Ｇ　ｔａｇをＩＣＣプロファイルのプライベートタグに記述する。
【０１１７】
上述したように、ａｖｅ＿Ｇ　ｔａｇはＣ、Ｍ、Ｙ、Ｂｋ、Ｒ、Ｇ、ＢおよびＷの八つのカラーパッチの平均光沢度、また、Ｗｈｉｔｅ＿Ｇ　ｔａｇには各画像信号が０％のパッチの光沢度である。
【０１１８】
なお、ハンディタイプの光沢度計から測定値を入力するために、光沢度計に専用のインタフェイスを設けてもよいが、ネットワーク、シリアル／パラレルインタフェイス、または、シリアルバスを介して入力してもよい。
【０１１９】
また、Ｃ、Ｍ、Ｙ、Ｂｋ、Ｒ、Ｇ、ＢおよびＷの八つのカラーパッチおよび各画像信号が０％のパッチと、ハンディタイプの光沢度計で測定するパッチの数が少ないことから、ユーザはキーボード４を操作して測定値を入力してもよい。
【０１２０】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１２１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１２２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１２３】
本発明を上記記憶媒体に適用する場合、その記憶媒体には、先に説明したフローチャートに対応するプログラムコードが格納されることになる。
【０１２４】
【発明の効果】
以上説明したように、本発明によれば、画像の光沢度を考慮して画像処理することができる。
【図面の簡単な説明】
【図１】画像処理を実行するシステムの構成例を示すブロック図、
【図２】ＨＤに格納されたソフトウェアやデータを説明する図、
【図３】色変換を説明するための図、
【図４】ＩＣＣプロファイルの構造を示す図、
【図５】ＩＣＣプロファイルの詳細例を示す図、
【図６】スキャナの画像読取部を示す図、
【図７】ＩＣＣプロファイルの作成手順を説明するフローチャート、
【図８】グロスマッチングを行った場合と、行わない場合の出力画像の光沢度の概要を示す図、
【図９】光沢度情報を有するＩＣＣプロファイルの利用方法を説明するためのフローチャート、
【図１０】プリントサーバの処理を示すフローチャート、
【図１１】「光沢感を重視」が選択された場合の最適な装置の探索の詳細を説明するフローチャート、
【図１２】「光沢感を最重視、色を重視」または「色を最重視、光沢感を重視」が選択された場合の最適な装置の探索の詳細を説明するフローチャート、
【図１３】クラスタプリンティングが指示された場合の最適な装置の探索の詳細を説明するフローチャート、
【図１４】ＩＣＣプロファイルの作成手順を説明するフローチャートである。
【図１】
2004040184.tif 000004
【図２】
2004040184.tif 000005
【図３】
2004040184.tif 000006
【図４】
2004040184.tif 000007
【図５】
2004040184.tif 000008
【図６】
2004040184.tif 000009
【図７】
2004040184.tif 000010
【図８】
2004040184.tif 000011
【図９】
2004040184.tif 000012
【図１０】
2004040184.tif 000013
【図１１】
2004040184.tif 000014
【図１２】
2004040184.tif 000015
【図１３】
2004040184.tif 000016
【図１４】
2004040184.tif 000017